(57)【要約】【課題】ブラケット撮影時における撮影パラメータを撮影状況に応じて調整する。【解決手段】ＣＰＵ１８は、ブラケット撮影時に、撮影シーン（夕日、夜景）、及び光源（太陽光、蛍光灯、その他）に応じて、ホワイトバランスの色シフト方向を変更する。例えば、撮影シーンが夕日であれば、青−マゼンダ方向にシフトし、夜景であれば、緑−赤方向にシフトする。また、光源が太陽光であれば、シアン−赤方向にシフトし、蛍光灯であれば、シアン−黄方向にシフトし、その他であれば、青−黄色方向にシフトする。また、ＣＰＵ１８は、画像の明るさ（明るい、適正、暗い）に応じて、色シフト量を補正する。例えば、明るい場合には、色シフト量を大きくし（＋５％）、暗い場合には、色シフト量を小さくする（−５％）。【選択図】図１
2015126455.tif 000002
【特許請求の範囲】
【請求項１】
撮像手段と、
前記撮像手段による撮影状況を判定する判定手段と、
前記判定手段によって判定された前記撮影状況に基づいて、撮影パラメータを変化させながら前記撮像手段によって撮像された複数の画像を取得する制御手段と、
を備えることを特徴とする撮像装置。
【請求項２】
前記制御手段は、前記撮影状況に基づいて、前記撮影パラメータとして、撮影時におけるホワイトバランスの色シフト方向を変更する、
ことを特徴とする請求項１に記載の撮像装置。
【請求項３】
前記制御手段は、前記撮影状況に基づいて、前記撮影パラメータとして、撮影時におけるホワイトバランスの色シフト方向に加えて、該ホワイトバランスの色シフト量を変更する、
ことを特徴とする請求項１又は２に記載の撮像装置。
【請求項４】
前記判定手段は、前記撮影状況として、撮影時の撮影シーンを判定し、
前記制御手段は、前記撮影シーンが夕日であると判定された場合、前記撮影パラメータとして、撮影時のホワイトバランスの色シフト方向を青とマゼンダ方向に変更する、
ことを特徴とする請求項１に記載の撮像装置。
【請求項５】
前記制御手段は、前記撮影シーンが夜景であると判定された場合、前記撮影パラメータとして、撮影時のホワイトバランスの色シフト方向を緑と赤方向に変更する、
ことを特徴とする請求項４に記載の撮像装置。
【請求項６】
前記判定手段は、前記撮影状況として、撮影時の光源を判定し、
前記制御手段は、前記光源が太陽光であると判定された場合、前記撮影パラメータとして、撮影時のホワイトバランスの色シフト方向をシアンと赤方向に変更する、
ことを特徴とする請求項１に記載の撮像装置。
【請求項７】
前記制御手段は、前記光源が蛍光灯であると判定された場合、前記撮影パラメータとして、撮影時のホワイトバランスの色シフト方向をシアンと黄方向に変更する、
ことを特徴とする請求項６に記載の撮像装置。
【請求項８】
前記制御手段は、前記光源が太陽光または蛍光灯以外であると判定された場合、前記撮影パラメータとして、撮影時のホワイトバランスの色シフト方向を青と黄方向に変更する、
ことを特徴とする請求項７に記載の撮像装置。
【請求項９】
前記判定手段は、前記撮影状況として、撮影時の明るさが所定の閾値より大であるか否かを判定し、
前記制御手段は、前記明るさが所定の閾値より大であると判定された場合、前記撮影パラメータとして、撮影時のホワイトバランスの色シフト量を大きくし、前記明るさが所定の閾値より小であると判定された場合、撮影時のホワイトバランスの色シフト量を小さくする、
ことを特徴とする請求項１乃至８のいずれか１項に記載の撮像装置。
【請求項１０】
前記制御手段は、
前記判定手段によって判定された前記撮影状況に基づいて、複数の撮影パラメータを変化させながら前記撮像手段によって撮像された複数の画像を取得する、
ことを特徴とする請求項１に記載の撮像装置。
【請求項１１】
前記複数の撮影パラメータのうち、少なくとも１つは撮影時のホワイトバランスであり、少なくとも１つは明るさであり、
前記制御手段は、前記撮影状況に基づいて、前記撮影時におけるホワイトバランスの色シフト方向を変更するとともに、前記取得した複数の画像の各々明るさが所定の閾値より大であると判定された場合、前記撮影時のホワイトバランスの色シフト量を大きくし、前記明るさが所定の閾値より小であると判定された場合、前記撮影時のホワイトバランスの色シフト量を小さくする、
ことを特徴とする請求項１０に記載の撮像装置。
【請求項１２】
撮像手段を備える撮像装置の制御方法であって、
前記撮像手段による撮影状況を判定するステップと、
前記判定された前記撮影状況に基づいて、撮影パラメータを変化させながら前記撮像手段によって撮像された複数の画像を取得するステップと、
を含むことを特徴とする制御方法。
【請求項１３】
撮像手段を備える撮像装置を制御するコンピュータに、
前記撮像手段による撮影状況を判定する機能、
前記判定された前記撮影状況に基づいて、撮影パラメータを変化させながら前記撮像手段によって撮像された複数の画像を取得する機能、
を実現させることを特徴とするプログラム。
【発明の詳細な説明】
【技術分野】
【０００１】
本発明は、撮像装置、制御方法及びプログラムに関する。
【背景技術】
【０００２】
従来より、一度の撮影で、露出やホワイトバランスなどの撮影パラメータを数段階で変化させた複数枚の画像を撮影するブラケット撮影（自在撮影モード）を行う撮像装置が知られている。
【０００３】
上記ブラケット撮影に似た技術としては、例えば、人工光と自然光との割合に基づいてホワイトバランス補正を行う技術が提案されている（例えば特許文献１）。
【０００４】
また、他の技術としては、輝度データ（Ｙ）と色相データ（Ｒ、Ｇ、Ｂ）とに基づいてホワイトバランス調整データを求め、更に、被写体の緑シーンらしさに基づいてホワイトバランス調整データを補正する技術が提案されている（例えば特許文献２）。
【０００５】
さらには、画像全体に対して色ごとにヒストグラムを取得し、画像が緑、赤、青など、どの色味を帯びているか、判別した色が画面上どこの領域に集中しているかを判別し、これら判別により得られた情報を用いてシーンの特定を行う技術が提案されている（例えば特許文献３）。
【先行技術文献】
【特許文献】
【０００６】
【特許文献１】特開２００２−３７４５３９
【特許文献２】特開２００４−２７４３６７
【特許文献３】特開２０１１−８２６９１
【発明の概要】
【発明が解決しようとする課題】
【０００７】
しかしながら、上記従来技術による技術では、いずれの場合も、ブラケット撮影時における撮影パラメータを設定可能であるものの、光源や、撮影シーン、画像の明るさなどの撮影状況が変化しても、設定した撮影パラメータでしか撮影できないため、単調な画像しか得られないという問題があった。
【０００８】
そこで本発明は、ブラケット撮影時における撮影パラメータを、撮影状況に応じて調整可能とすることを目的とする。
【課題を解決するための手段】
【０００９】
この発明は、撮像手段と、前記撮像手段による撮影状況を判定する判定手段と、前記判定手段によって判定された前記撮影状況に基づいて、撮影パラメータを変化させながら前記撮像手段によって撮像された複数の画像を取得する制御手段と、を備えることを特徴とする撮像装置である。
【００１０】
この発明は、撮像手段を備える撮像装置の制御方法であって、前記撮像手段による撮影状況を判定するステップと、前記判定された前記撮影状況に基づいて、撮影パラメータを変化させながら前記撮像手段によって撮像された複数の画像を取得するステップと、を含むことを特徴とする制御方法である。
【００１１】
この発明は、撮像手段を備える撮像装置を制御するコンピュータに、前記撮像手段による撮影状況を判定する機能、前記判定された前記撮影状況に基づいて、撮影パラメータを変化させながら前記撮像手段によって撮像された複数の画像を取得する機能、を実現させることを特徴とするプログラムである。
【発明の効果】
【００１２】
この発明によれば、ブラケット撮影時における撮影パラメータを、撮影状況に応じて調整することができるという利点が得られる。
【図面の簡単な説明】
【００１３】
【図１】本発明の実施形態による撮像装置の構成を示すブロック図である。
【図２】本実施形態による撮像装置のブラケット撮影動作を説明するためのフローチャートである。
【図３】本実施形態による撮像装置のブラケット撮影動作を説明するためのフローチャートである。
【図４】本実施形態による撮像装置のブラケット撮影動作を説明するためのフローチャートである。
【図５】本実施形態による撮像装置のブラケット撮影動作を説明するためのフローチャートである。
【図６】本実施形態による撮像装置のブラケット撮影動作を説明するためのフローチャートである。
【図７】本実施形態による撮像装置のブラケット撮影動作を説明するためのフローチャートである。
【図８】本実施形態による撮像装置のブラケット撮影後に表示されるサムネイルの一例を示す模式図である。
【図９】本実施形態による撮像装置のブラケット撮影（二軸）後に表示されるサムネイルの一例を示す模式図である。
【図１０】本実施形態において、ＹＵＶ色座標系を用いた撮影パラメータの変更例を示す概念図である。
【発明を実施するための形態】
【００１４】
以下、本発明の実施の形態を、図面を参照して説明する。
【００１５】
Ａ．実施形態の構成
図１は、本発明の実施形態による撮像装置１０の構成を示すブロック図である。図において、撮像装置１０は、例えば、デジタルカメラからなり、撮像レンズ１１、絞り兼用シャッタ１２、ＣＣＤ１３、ＴＧ（Timing Generator）１４、ユニット回路１５、画像処理部１６、レンズ駆動部１７、ＣＰＵ１８、ＤＲＡＭ１９、メモリ２０、フラッシュメモリ２１、表示部２２、キー入力部２３、カードＩ／Ｆ２４、及びメモリ・カード２５を備えている。
【００１６】
撮像レンズ１１は、ズームレンズ、フォーカスレンズを含み、レンズ駆動部１７が接続されている。レンズ駆動部１７は、ＣＰＵ１８からの制御信号に従って撮像レンズ１１を駆動し、オートフォーカス駆動やズーム駆動などを行う。絞り兼用シャッタ１２は、図示しない駆動回路を含み、駆動回路によってＣＰＵ１８から送られてくる制御信号に従って動作する。該絞り兼用シャッタ１２は、撮像レンズ１１から入ってくる光の量を制御する。ＣＣＤ（撮像素子）１３は、撮像レンズ１１、及び絞り兼用シャッタ１２を介して投影された被写体の光を電気信号に変換し、撮像信号としてユニット回路１５に出力する。該ＣＣＤ１３は、ＴＧ１４によって生成されたタイミング信号に従って駆動される。
【００１７】
ユニット回路１５は、ＣＣＤ１３から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されている。該ユニット回路１５は、ＴＧ１４によって生成されたタイミング信号に従って駆動される。ＣＣＤ１３の撮像信号は、ユニット回路１５を経てデジタル信号として画像処理部１６に送られる。
【００１８】
画像処理部１６は、ユニット回路１５から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。該画像処理部１６は、ＴＧ１４によって生成されたタイミング信号に従って駆動される。
【００１９】
ＣＰＵ１８は、撮像装置１０の各部を制御するワンチップマイコンである。特に、本実施形態では、ＣＰＵ１８は、ズーム／ワイド操作時やオートフォーカスのためのレンズ駆動部１７の制御や、画像処理部１６による撮像画像に対する画像処理、ブラケット撮影処理、撮像画像の表示部２２への表示（ライブビュー表示）の動作などを制御する。
【００２０】
ＤＲＡＭ１９は、ＣＣＤ１３によって撮像された後、ＣＰＵ１８に送られてきた画像データを一時記憶するバッファメモリとして使用されるとともに、ＣＰＵ１８のワーキングメモリとして使用される。上記ＣＰＵ１８は、ＤＲＡＭ１９に保存された撮像画像に対して上述した処理を施すよう制御する。メモリ２０は、ＣＰＵ１８による撮像装置１０の各部の制御に必要なプログラム、及び各部の制御に必要なデータが記録されており、ＣＰＵ１８は、このプログラムに従って処理を行う。フラッシュメモリ２１や、メモリ・カード２５は、ＣＣＤ１３によって撮像された画像データなどを保存しておく記録媒体である。
【００２１】
表示部２２は、カラー液晶表示器とその駆動回路を含み、撮像待機状態にあるときには、ＣＣＤ１３によって撮像された撮像画像をライブビュー画像として表示し、記録画像の再生時には、フラッシュメモリ２１や、メモリ・カード２５から読み出され、伸張された記録画像を表示する。キー入力部２３は、シャッターボタン２３ａ、撮影モード設定ダイヤル２３ｂ、ズームスイッチ、ＳＥＴキー、十字キー等の操作キー２３ｃを含み、ユーザのキー操作に応じた操作信号をＣＰＵ１８に出力する。カードＩ／Ｆ２４には、撮像装置１０本体の図示しないカードスロットを介してメモリ・カード２５が着脱自在に装着されている。
【００２２】
特に、本実施形態では、ＣＰＵ１８は、ブラケット撮影時に、撮影シーン（夕日、夜景）、及び光源（太陽光、蛍光灯、その他）に応じて、ホワイトバランスの色シフト方向を調整する。例えば、撮影シーンが夕日であれば、青−マゼンダ方向にシフトし、夜景であれば、緑−赤方向にシフトする。また、光源が太陽光であれば、シアン−赤方向にシフトし、蛍光灯であれば、シアン−黄方向にシフトし、その他であれば、青−黄色方向にシフトする。また、ＣＰＵ１８は、画像の明るさ（明るい、適正、暗い）に応じて、色シフト方向のシフト補正量を調整する。例えば、明るい場合には、色シフト方向のシフト補正量を大きくし（例えば、＋５％）、暗い場合には、シフト補正量を小さくする（例えば、−５％）。
【００２３】
Ｂ．実施形態の動作
次に、上述した実施形態の動作について説明する。
なお、以下では、ホワイトバランス×明るさ自在撮影の場合（撮影シーン判定、光源判定、明るさ軸のパラメータを使用した場合）について説明する。
【００２４】
図２乃至図７は、本実施形態による撮像装置のブラケット撮影動作を説明するためのフローチャートである。また、図８は、本実施形態による撮像装置のブラケット撮影後に表示されるサムネイルの一例を示す模式図である。
【００２５】
まず、ＣＰＵ１８は、ブラケット撮影モードにされると、その時点で設定されている光源（太陽光、蛍光灯、その他など）に応じてホワイトバランスのゲインを初期設定する（ステップＳ１０）。次に、ＣＰＵ１８は、ＣＣＤ１３から取り込んだ撮像画像からライブビュー画像を生成し（ステップＳ１２）、該生成したライブビュー画像を表示部２２に表示する（ステップＳ１４）。次に、ＣＰＵ１８は、シャッターボタン（図示略）が押下されたか否かを判断する（ステップＳ１６）。そして、シャッターボタンが押下されていない場合には（ステップＳ１６のＮＯ）、ステップＳ１２に戻り、ライブビュー画像の生成と表示を繰り返す。
【００２６】
一方、シャッターボタンが押下された場合には（ステップＳ１６のＹＥＳ）、ＣＰＵ１８は、ＣＣＤ１３から取り込んだ撮像画像に基づいて撮影シーン判定が夕日であるか否かを判断する（ステップＳ１８）。そして、撮影シーン判定が夕日でない場合には（ステップＳ１８のＮＯ）、ＣＰＵ１８は、撮影シーン判定が夜景であるか否かを判断する（ステップＳ２０）。そして、撮影シーン判定が夜景でない場合には（ステップＳ２０のＮＯ）、ＣＰＵ１８は、ＣＣＤ１３から取り込んだ撮像画像に基づいて、光源が太陽光であるか否かを判断する（ステップＳ２２）。そして、光源が太陽光でない場合には（ステップＳ２２のＮＯ）、ＣＰＵ１８は、光源が蛍光灯であるか否かを判断する（ステップＳ２４）。そして、光源が蛍光灯でない場合には（ステップＳ２４のＮＯ）、その他の光源（電球など）であると判断する。
【００２７】
一方、撮影シーン判定が夕日である場合には（ステップＳ１８のＹＥＳ）、ＣＰＵ１８は、ＣＣＤ１３から取り込んだ撮像画像に基づいて、明るさのパラメータが適正であるか否かを判断する（図３のステップＳ２６）。そして、明るさのパラメータが適正である場合には（ステップＳ２６のＹＥＳ）、ＣＰＵ１８は、ホワイトバランスの色シフト方向を、青−マゼンダ方向、シフト量（デフォルト；例えば１０％）に設定する（ステップＳ２８）。その後、ＣＰＵ１８は、ＣＣＤ１３で撮影し、撮影した画像に対して、ホワイトバランスの色味を、青方向へシフト量（１０％）、標準（０％）、マゼンダ方向へシフト量（１０％）で振る画像処理を施し（ブラケット撮影）、それぞれの画像を、メモリ・カード２５に保存する（ステップＳ３６）。次に、ＣＰＵ１８は、ブラケット撮影した画像のサムネイルを作成し、図８（ａ）に示すように、表示部２２に表示する（ステップＳ３８）。この場合、色味が標準（シフトなし）の画像を中心とし、シフト量（１０％）で青方向へシフトされた画像、シフト量（１０％）でマゼンダ方向へシフトされた画像が表示される。その後、図２のステップＳ１２に戻る。
【００２８】
一方、明るさのパラメータが適正でない場合には（ステップＳ２６のＮＯ）、ＣＰＵ１８は、ＣＣＤ１３から取り込んだ撮像画像に基づいて、明るさのパラメータが（−）であるか否かを判断する（ステップＳ３０）。そして、明るさのパラメータが（−）である場合には（ステップＳ３０のＹＥＳ）、ＣＰＵ１８は、ホワイトバランスの色シフト方向を、青−マゼンダ方向に、かつシフト補正量を−５％に設定する（ステップＳ３２）。その後、ＣＰＵ１８は、ＣＣＤ１３で撮影し、撮影した画像に対して、ホワイトバランスの色味を、青方向へシフト量（１０％）、標準（０％）、マゼンダ方向へシフト量（１０％）で振る画像処理を施し（ブラケット撮影）、さらに、上記ホワイトバランス（青−マゼンダ、シフト補正量（−５％））に従って補正処理（色シフト）した後、メモリ・カード２５に保存する（ステップＳ３６）。次に、ＣＰＵ１８は、ブラケット撮影した画像のサムネイルを作成し、図８（ｂ）に示すように、表示部２２に表示する（ステップＳ３８）。この場合、色味が標準（シフトなし）の画像を中心とし、シフト量（５％）で青方向へシフトされた画像、シフト量（５％）でマゼンダ方向へシフトされた画像が表示される。その後、図２のステップＳ１２に戻る。
【００２９】
一方、明るさのパラメータが（−）でない場合には（ステップＳ３０のＮＯ）、明るさのパラメータが（＋）であるということなので、ＣＰＵ１８は、ホワイトバランスの色シフト方向を、青−マゼンダ方向に、かつシフト補正量を＋５％に設定する（ステップＳ３４）。その後、ＣＰＵ１８は、ＣＣＤ１３で撮影し、撮影した画像に対して、ホワイトバランスの色味を、青方向へシフト量（１０％）、標準（０％）、マゼンダ方向へシフト量（１０％）で振る画像処理を施し（ブラケット撮影）、さらに、上記ホワイトバランス（青−マゼンダ、シフト補正量（＋５％））に従って補正処理（色シフト）した後、メモリ・カード２５に保存する（ステップＳ３６）。次に、ＣＰＵ１８は、ブラケット撮影した画像のサムネイルを作成し、図８（ｃ）に示すように、表示部２２に表示する（ステップＳ３８）。この場合、色味が標準（シフトなし）の画像を中心とし、シフト量（１５％）で青方向へシフトされた画像、シフト量（１５％）でマゼンダ方向へシフトされた画像が表示される。その後、図２のステップＳ１２に戻る。
【００３０】
一方、撮影シーン判定が夜景である場合には（図２のステップＳ２０のＹＥＳ）、ＣＰＵ１８は、ＣＣＤ１３から取り込んだ撮像画像に基づいて、明るさのパラメータが適正であるか否かを判断する（図４のステップＳ４０）。そして、明るさのパラメータが適正である場合には（ステップＳ４０のＹＥＳ）、ＣＰＵ１８は、ホワイトバランスの色シフト方向を、緑−赤方向、シフト量（デフォルト；例えば１０％）に設定する（ステップＳ４２）。その後、ＣＰＵ１８は、ＣＣＤ１３で撮影し、撮影した画像に対して、ホワイトバランスの色味を、緑方向へシフト量（１０％）、標準（０％）、赤方向へシフト量（１０％）で振る画像処理を施し（ブラケット撮影）、それぞれの画像を、メモリ・カード２５に保存する（ステップＳ５０）。次に、ＣＰＵ１８は、ブラケット撮影した画像のサムネイルを作成し、表示部２２に表示する（ステップＳ５２）。この場合、色味が標準（シフトなし）の画像を中心とし、シフト量（１０％）で緑方向へシフトされた画像、シフト量（１０％）で赤方向へシフトされた画像が表示される。その後、図２のステップＳ１２に戻る。
【００３１】
一方、明るさのパラメータが適正でない場合には（ステップＳ４０のＮＯ）、ＣＰＵ１８は、ＣＣＤ１３から取り込んだ撮像画像に基づいて、明るさのパラメータが（−）であるか否かを判断する（ステップＳ４４）。そして、明るさのパラメータが（−）である場合には（ステップＳ４４のＹＥＳ）、ＣＰＵ１８は、ホワイトバランスの色シフト方向を、緑−赤方向に、かつシフト補正量を−５％に設定する（ステップＳ４６）。その後、ＣＰＵ１８は、ＣＣＤ１３で撮影し、撮影した画像に対して、ホワイトバランスの色味を、緑方向へシフト量（１０％）、標準（０％）、赤方向へシフト量（１０％）で振る画像処理を施し（ブラケット撮影）、さらに、上記ホワイトバランス（緑−赤、シフト補正量（−５％））に従って補正処理（色シフト）した後、メモリ・カード２５に保存する（ステップＳ５０）。次に、ＣＰＵ１８は、ブラケット撮影した画像のサムネイルを作成し、表示部２２に表示する（ステップＳ５２）。この場合、色味が標準（シフトなし）の画像を中心とし、シフト量（５％）で緑方向へシフトされた画像、シフト量（５％）で赤方向へシフトされた画像が表示される。その後、図２のステップＳ１２に戻る。
【００３２】
一方、明るさのパラメータが（−）でない場合には（ステップＳ４４のＮＯ）、明るさのパラメータが（＋）であるということなので、ＣＰＵ１８は、ホワイトバランスの色シフト方向を、緑−赤方向に、かつシフト補正量を＋５％に設定する（ステップＳ４８）。その後、ＣＰＵ１８は、ＣＣＤ１３で撮影し、撮影した画像に対して、ホワイトバランスの色味を、緑方向へシフト量（１０％）、標準（０％）、赤方向へシフト量（１０％）で振る画像処理を施し（ブラケット撮影）、さらに、上記ホワイトバランス（緑−赤、シフト補正量（＋５％））に従って補正処理（色シフト）した後、メモリ・カード２５に保存する（ステップＳ５０）。次に、ＣＰＵ１８は、ブラケット撮影した画像のサムネイルを作成し、表示部２２に表示する（ステップＳ５２）。この場合、色味が標準（シフトなし）の画像を中心とし、シフト量（１５％）で緑方向へシフトされた画像、シフト量（１５％）で赤方向へシフトされた画像が表示される。その後、図２のステップＳ１２に戻る。
【００３３】
一方、光源判定が太陽光である場合には（図２のステップＳ２２のＹＥＳ）、ＣＰＵ１８は、ＣＣＤ１３から取り込んだ撮像画像に基づいて、明るさのパラメータが適正であるか否かを判断する（図５のステップＳ５４）。そして、明るさのパラメータが適正である場合には（ステップＳ５４のＹＥＳ）、ＣＰＵ１８は、ホワイトバランスの色シフト方向を、シアン−赤方向、シフト量（デフォルト；例えば１０％）に設定する（ステップＳ５６）。その後、ＣＰＵ１８は、ＣＣＤ１３で撮影し、撮影した画像に対して、ホワイトバランスの色味を、シアン方向へシフト量（１０％）、標準（０％）、赤方向へシフト量（１０％）で振る画像処理を施し（ブラケット撮影）、それぞれの画像を、メモリ・カード２５に保存する（ステップＳ６４）。次に、ＣＰＵ１８は、ブラケット撮影した画像のサムネイルを作成し、表示部２２に表示する（ステップＳ６６）。この場合、色味が標準（シフトなし）の画像を中心とし、シフト量（１０％）でシアン方向へシフトされた画像、シフト量（１０％）で赤方向へシフトされた画像が表示される。その後、図２のステップＳ１２に戻る。
【００３４】
一方、明るさのパラメータが適正でない場合には（ステップＳ５４のＮＯ）、ＣＰＵ１８は、ＣＣＤ１３から取り込んだ撮像画像に基づいて、明るさのパラメータが（−）であるか否かを判断する（ステップＳ５８）。そして、明るさのパラメータが（−）である場合には（ステップＳ５８のＹＥＳ）、ＣＰＵ１８は、ホワイトバランスの色シフト方向を、シアン−赤方向に、かつシフト補正量を−５％に設定する（ステップＳ６０）。その後、ＣＰＵ１８は、ＣＣＤ１３で撮影し、撮影した画像に対して、ホワイトバランスの色味を、シアン方向へシフト量（１０％）、標準（０％）、赤方向へシフト量（１０％）で振る画像処理を施し（ブラケット撮影）、さらに、上記ホワイトバランス（シアン−赤、シフト補正量（−５％））に従って補正処理（色シフト）した後、メモリ・カード２５に保存する（ステップＳ６４）。次に、ＣＰＵ１８は、ブラケット撮影した画像のサムネイルを作成し、表示部２２に表示する（ステップＳ６６）。この場合、色味が標準（シフトなし）の画像を中心とし、シフト量（５％）でシアン方向へシフトされた画像、シフト量（５％）で赤方向へシフトされた画像が表示される。その後、図２のステップＳ１２に戻る。
【００３５】
一方、明るさのパラメータが（−）でない場合には（ステップＳ５８のＮＯ）、明るさのパラメータが（＋）であるということなので、ＣＰＵ１８は、ホワイトバランスの色シフト方向を、シアン−赤方向に、かつシフト補正量を＋５％に設定する（ステップＳ６２）。その後、ＣＰＵ１８は、ＣＣＤ１３で撮影し、撮影した画像に対して、ホワイトバランスの色味を、シアン方向へシフト量（１０％）、標準（０％）、赤方向へシフト量（１０％）で振る画像処理を施し（ブラケット撮影）、さらに、上記ホワイトバランス（シアン→赤、シフト補正量（＋５％））に従って補正処理（色シフト）した後、メモリ・カード２５に保存する（ステップＳ６４）。次に、ＣＰＵ１８は、ブラケット撮影した画像のサムネイルを作成し、表示部２２に表示する（ステップＳ６６）。この場合、色味が標準（シフトなし）の画像を中心とし、シフト量（１５％）でシアン方向へシフトされた画像、シフト量（１５％）で赤方向へシフトされた画像が表示される。その後、図２のステップＳ１２に戻る。
【００３６】
一方、光源判定が蛍光灯である場合には（図２のステップＳ２４のＹＥＳ）、ＣＰＵ１８は、ＣＣＤ１３から取り込んだ撮像画像に基づいて、明るさのパラメータが適正であるか否かを判断する（図６のステップＳ６８）。そして、明るさのパラメータが適正である場合には（ステップＳ６８のＹＥＳ）、ＣＰＵ１８は、ホワイトバランスの色シフト方向を、シアン−黄方向、シフト量（デフォルト；例えば１０％）に設定する（ステップＳ７０）。その後、ＣＰＵ１８は、ＣＣＤ１３で撮影し、撮影した画像に対して、ホワイトバランスの色味を、シアン方向へシフト量（１０％）、標準（０％）、黄方向へシフト量（１０％）で振る画像処理を施し（ブラケット撮影）、それぞれの画像を、メモリ・カード２５に保存する（ステップＳ７８）。次に、ＣＰＵ１８は、ブラケット撮影した画像のサムネイルを作成し、表示部２２に表示する（ステップＳ８０）。この場合、色味が標準（シフトなし）の画像を中心とし、シフト量（１０％）でシアン方向へシフトされた画像、シフト量（１０％）で黄方向へシフトされた画像が表示される。その後、図２のステップＳ１２に戻る。
【００３７】
一方、明るさのパラメータが適正でない場合には（ステップＳ６８のＮＯ）、ＣＰＵ１８は、ＣＣＤ１３から取り込んだ撮像画像に基づいて、明るさのパラメータが（−）であるか否かを判断する（ステップＳ７２）。そして、明るさのパラメータが（−）である場合には（ステップＳ７０のＹＥＳ）、ＣＰＵ１８は、ホワイトバランスの色シフト方向を、シアン−黄方向に、かつシフト補正量を−５％に設定する（ステップＳ７４）。その後、ＣＰＵ１８は、ＣＣＤ１３で撮影し、撮影した画像に対して、ホワイトバランスの色味を、シアン方向へシフト量（１０％）、標準（０％）、黄方向へシフト量（１０％）で振る画像処理を施し（ブラケット撮影）、さらに、上記ホワイトバランス（シアン−黄、シフト補正量（−５％））に従って補正処理（色シフト）した後、メモリ・カード２５に保存する（ステップＳ７８）。次に、ＣＰＵ１８は、ブラケット撮影した画像のサムネイルを作成し、表示部２２に表示する（ステップＳ８０）。この場合、色味が標準（シフトなし）の画像を中心とし、シフト量（５％）でシアン方向へシフトされた画像、シフト量（５％）で黄方向へシフトされた画像が表示される。その後、図２のステップＳ１２に戻る。
【００３８】
一方、明るさのパラメータが（−）でない場合には（ステップＳ７２のＮＯ）、明るさのパラメータが（＋）であるということなので、ＣＰＵ１８は、ホワイトバランスの色シフト方向を、シアン−黄方向に、かつシフト補正量を＋５％に設定する（ステップＳ７６）。その後、ＣＰＵ１８は、ＣＣＤ１３で撮影し、撮影した画像に対して、ホワイトバランスの色味を、シアン方向へシフト量（１０％）、標準（０％）、黄方向へシフト量（１０％）で振る画像処理を施し（ブラケット撮影）、さらに、上記ホワイトバランス（シアン−黄、シフト補正量（＋５％））に従って補正処理（色シフト）した後、メモリ・カード２５に保存する（ステップＳ７８）。次に、ＣＰＵ１８は、ブラケット撮影した画像のサムネイルを作成し、表示部２２に表示する（ステップＳ８０）。この場合、色味が標準、シフトなしの画像を中心とし、シフト量（１５％）でシアン方向へシフトされた画像、シフト量（１５％）で黄方向へシフトされた画像が表示される。その後、図２のステップＳ１２に戻る。
【００３９】
一方、光源判定がその他（電球など）である場合には（図２のステップＳ２４のＮＯ）、ＣＰＵ１８は、ＣＣＤ１３から取り込んだ撮像画像に基づいて、明るさのパラメータが適正であるか否かを判断する（図７のステップＳ８２）。そして、明るさのパラメータが適正である場合には（ステップＳ８２のＹＥＳ）、ＣＰＵ１８は、ホワイトバランスの色シフト方向を、青−黄方向、シフト量（デフォルト；例えば１０％）に設定する（ステップＳ８４）。その後、ＣＰＵ１８は、ＣＣＤ１３で撮影し、撮影した画像に対して、ホワイトバランスの色味を、青方向へシフト量（１０％）、標準（０％）、黄方向へシフト量（１０％）で振る画像処理を施し（ブラケット撮影）、それぞれの画像を、メモリ・カード２５に保存する（ステップＳ９２）。次に、ＣＰＵ１８は、ブラケット撮影した画像のサムネイルを作成し、表示部２２に表示する（ステップＳ９４）。この場合、色味が標準（シフトなし）の画像を中心とし、シフト量（１０％）で青方向へシフトされた画像、シフト量（１０％）で黄方向へシフトされた画像が表示される。その後、図２のステップＳ１２に戻る。
【００４０】
一方、明るさのパラメータが適正でない場合には（ステップＳ８２のＮＯ）、ＣＰＵ１８は、ＣＣＤ１３から取り込んだ撮像画像に基づいて、明るさのパラメータが（−）であるか否かを判断する（ステップＳ８６）。そして、明るさのパラメータが（−）である場合には（ステップＳ８６のＹＥＳ）、ＣＰＵ１８は、ホワイトバランスの色シフト方向を、青−黄方向に、かつシフト補正量を−５％に設定する（ステップＳ８８）。その後、ＣＰＵ１８は、ＣＣＤ１３で撮影し、撮影した画像に対して、ホワイトバランスの色味を、青方向へシフト量（１０％）、標準（０％）、黄方向へシフト量（１０％）で振る画像処理を施し（ブラケット撮影）、さらに、上記ホワイトバランス（青−黄、シフト補正量（−５％））に従って補正処理（色シフト）した後、メモリ・カード２５に保存する（ステップＳ９２）。次に、ＣＰＵ１８は、ブラケット撮影した画像のサムネイルを作成し、表示部２２に表示する（ステップＳ９４）。この場合、色味が標準（シフトなし）の画像を中心とし、シフト量（５％）で青方向へシフトされた画像、シフト量（５％）で黄方向へシフトされた画像が表示される。その後、図２のステップＳ１２に戻る。
【００４１】
一方、明るさのパラメータが（−）でない場合には（ステップＳ８６のＮＯ）、明るさのパラメータが（＋）であるということなので、ＣＰＵ１８は、ホワイトバランスの色シフト方向を、青−黄方向に、かつシフト補正量を＋５％に設定する（ステップＳ９０）。その後、ＣＰＵ１８は、ＣＣＤ１３で撮影し、撮影した画像に対して、ホワイトバランスの色味を、青方向へシフト量（１０％）、標準（０％）、黄方向へシフト量（１０％）で振る画像処理を施し（ブラケット撮影）、さらに、上記ホワイトバランス（青−黄、シフト補正量（＋５％））に従って補正処理（色シフト）した後、メモリ・カード２５に保存する（ステップＳ９２）。次に、ＣＰＵ１８は、ブラケット撮影した画像のサムネイルを作成し、表示部２２に表示する（ステップＳ９４）。この場合、色味が標準（シフトなし）の画像を中心とし、シフト量（１５％）で青方向へシフトされた画像、シフト量（１５％）で黄方向へシフトされた画像が表示される。その後、図２のステップＳ１２に戻る。
【００４２】
ここで、ホワイトバランスのゲインのシフト方法について一例を挙げて説明する。ホワイトバランスのゲインシフトとして、青方向へシフトする場合について説明する。
【００４３】
まず、
（Ｒゲイン，Ｂゲイン）＝（４８０，４５０）
青方向シフト量（０％，１０％）：デフォルト
明るさに応じたシフト補正量（±５％）
とする。
【００４４】
色シフトと明るさによる調整パラメータを組み合わせる。
明るさ軸が適正の場合には、
Ｒゲイン＝４８０＊（１００＋（０±０））／１００＝４８０
Ｂゲイン＝４５０＊（１００＋（１０±０））／１００＝４９５
となる。
【００４５】
また、明るさ軸が（−）の場合には、
Ｒゲイン＝４８０＊（１００＋（０−５））／１００＝４５６
Ｂゲイン＝４５０＊（１００＋（１０−５））／１００＝４７２（小数点以下切り捨て）
となる。
【００４６】
また、明るさ軸が（＋）の場合には、
Ｒゲイン＝４８０＊（１００＋（０＋５））／１００＝５０４
Ｂゲイン＝４５０＊（１００＋（１０＋５））／１００＝５１７（小数点以下切り捨て）
となる。
【００４７】
上述した実施系例によれば、ホワイトバランス関連のブラケット撮影（自在撮影）時、撮影パラメータを固定ではなく、シーン判定、光源判定、明るさ判定の結果に基づいて、ホワイトバランスの色シフト方向や色シフト量を自動で変更することにより、その撮影状況に応じた撮影パラメータを自動で設定することができ、より印象深い画像を撮影することができる。
【００４８】
なお、上述した実施形態においては、シーン判定、光源判定、明るさ判定の結果等によりホワイトバランスの色シフト方向や色シフト量を変更するようにしたが、これに加えて、撮影状況がローライト（暗所）判定であるかを判定するようにしてもよく、ローライトである場合、色シフト量を小さくする。
【００４９】
また、上述した実施形態において、ホワイトバランスに加えて他の撮影パラメータを振るブラケット撮影（二軸）の場合も、他の撮影パラメータにより、ホワイトバランスの色ゲインのシフト量を変更することで同様に行うことができる。例えば、他の撮影パラメータが明るさである場合、上述した実施形態と同様に、ホワイトバランスの色味を１軸方向に振るとともに（３つ）、更に、２軸方向に明るさを振り（３つ）、それぞれの明るい方に振った場合にシフト量を大きくし、暗い方に振った場合にシフト量を小さくする。さらに、明るさの振り量によってシフト補正量を変更するようにしてもよい。
【００５０】
図９は、本実施形態による撮像装置のブラケット撮影（二軸）後に表示されるサムネイルの一例を示す模式図である。図９には、ホワイトバランスに加えて明るさを振るブラケット撮影（２軸）の場合に、撮影シーンが「夕日」の場合におけるサムネイルを示している。この場合、横軸方向にホワイトバランスを振り、縦軸方向に明るさを振っている。そして、明るさが（−）の場合には、青−マゼンダ方向にシフト補正量（−５％）で補正（色シフト）し（最下段）、明るさが（適正）の場合には、青−マゼンダ方向にシフト量（デフォルト；１０％）で色シフトし（中段）、明るさが（＋）の場合には、青−マゼンダ方向にシフト補正量（＋５％）で補正（色シフト）している（最上段）。この結果、その撮影状況に応じて、複数の撮影パラメータを多様に設定することができ、より印象深い画像を撮影することができる。
【００５１】
また、上述した実施形態において、ホワイトバランスの色シフト方向以外にも、ＵＶ色空間で、色方向に振るようにしてもよい。図１０は、本実施形態において、ＵＶ色空間を用いた撮影パラメータの変更例を示す概念図である。図１０に示すように、撮影画像の一番強い色（○）をＵＶ色空間の原点Ｏを点対象とする色方向（●）に振ることによって、より変化を強調した印象深い画像を撮影することができる。この場合も、画像の明るさに応じてシフト量を調整するようにしてもよい。
【００５２】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５３】
（付記１）
付記１に記載の発明は、撮像手段と、前記撮像手段による撮影状況を判定する判定手段と、前記判定手段によって判定された前記撮影状況に基づいて、撮影パラメータを変化させながら前記撮像手段によって撮像された複数の画像を取得する制御手段と、を備えることを特徴とする撮像装置である。
【００５４】
（付記２）
付記２に記載の発明は、前記制御手段は、前記撮影パラメータとして、撮影時におけるホワイトバランスの色シフト方向を前記撮影状況に基づいて変更する、ことを特徴とする付記１に記載の撮像装置である。
【００５５】
（付記３）
付記３に記載の発明は、前記制御手段は、前記撮影パラメータとして、撮影時におけるホワイトバランスの色シフト方向に加えて、該ホワイトバランスの色シフト量を前記撮影状況に基づいて変更する、ことを特徴とする付記１又は２に記載の撮像装置である。
【００５６】
（付記４）
付記４に記載の発明は、前記判定手段は、前記撮影状況として、撮影時の撮影シーンを判定し、前記制御手段は、前記撮影シーンが夕日であると判定された場合、前記撮影パラメータとして、撮影時のホワイトバランスの色シフト方向を青とマゼンダ方向に変更する、ことを特徴とする付記１に記載の撮像装置である。
【００５７】
（付記５）
付記５に記載の発明は、前記制御手段は、前記撮影シーンが夜景であると判定された場合、前記撮影パラメータとして、撮影時のホワイトバランスの色シフト方向を緑と赤方向に変更する、ことを特徴とする付記４に記載の撮像装置である。
【００５８】
（付記６）
付記６に記載の発明は、前記判定手段は、前記撮影状況として、撮影時の光源を判定し、前記制御手段は、前記光源が太陽光であると判定された場合、前記撮影パラメータとして、撮影時のホワイトバランスの色シフト方向をシアンと赤方向に変更する、ことを特徴とする付記１に記載の撮像装置である。
【００５９】
（付記７）
付記７に記載の発明は、前記制御手段は、前記光源が蛍光灯であると判定された場合、前記撮影パラメータとして、撮影時のホワイトバランスの色シフト方向をシアンと黄方向に変更する、ことを特徴とする付記６に記載の撮像装置である。
【００６０】
（付記８）
付記８に記載の発明は、前記制御手段は、前記光源が太陽光または蛍光灯以外であると判定された場合、前記撮影パラメータとして、撮影時のホワイトバランスの色シフト方向を青と黄方向に変更する、ことを特徴とする付記７に記載の撮像装置である。
【００６１】
（付記９）
付記９に記載の発明は、前記判定手段は、前記撮影状況として、撮影時の明るさが所定の閾値より大であるか否かを判定し、前記制御手段は、前記明るさが所定の閾値より大であると判定された場合、前記撮影パラメータとして、撮影時のホワイトバランスの色シフト量を大きくし、前記明るさが所定の閾値より小であると判定された場合、撮影時のホワイトバランスの色シフト量を小さくする、ことを特徴とする付記１乃至８のいずれか１つに記載の撮像装置である。
【００６２】
（付記１０）
付記１０に記載の発明は、前記制御手段は、前記判定手段によって判定された前記撮影状況に基づいて、複数の撮影パラメータを変化させながら前記撮像手段によって撮像された複数の画像を取得する、ことを特徴とする付記１に記載の撮像装置である。
【００６３】
（付記１１）
付記１１に記載の発明は、前記複数の撮影パラメータのうち、少なくとも１つは撮影時のホワイトバランスであり、少なくとも１つは明るさであり、前記制御手段は、前記撮影状況に基づいて、前記撮影時におけるホワイトバランスの色シフト方向を変更するとともに、前記取得した複数の画像の各々明るさが所定の閾値より大であると判定された場合、前記撮影時のホワイトバランスの色シフト量を大きくし、前記明るさが所定の閾値より小であると判定された場合、前記撮影時のホワイトバランスの色シフト量を小さくする、ことを特徴とする付記１０に記載の撮像装置である。
【００６４】
（付記１２）
付記１２に記載の発明は、撮像手段を備える撮像装置の制御方法であって、前記撮像手段による撮影状況を判定するステップと、前記判定された前記撮影状況に基づいて、撮影パラメータを変化させながら前記撮像手段によって撮像された複数の画像を取得するステップと、を含むことを特徴とする制御方法である。
【００６５】
（付記１３）
付記１３に記載の発明は、撮像手段を備える撮像装置を制御するコンピュータに、前記撮像手段による撮影状況を判定する機能、前記判定された前記撮影状況に基づいて、撮影パラメータを変化させながら前記撮像手段によって撮像された複数の画像を取得する機能、を実現させることを特徴とするプログラムである。
【符号の説明】
【００６６】
１０  撮像装置
１１  撮像レンズ
１２  絞り兼用シャッタ
１３  ＣＣＤ
１４  ＴＧ（Timing Generator）
１５  ユニット回路
１６  画像処理部
１７  レンズ駆動部
１８  ＣＰＵ
１９  ＤＲＡＭ
２０  メモリ
２１  フラッシュメモリ
２２  表示部
２３  キー入力部
２４  カードＩ／Ｆ
２５  メモリ・カード
【図１】
2015126455.tif 000003
【図２】
2015126455.tif 000004
【図３】
2015126455.tif 000005
【図４】
2015126455.tif 000006
【図５】
2015126455.tif 000007
【図６】
2015126455.tif 000008
【図７】
2015126455.tif 000009
【図８】
2015126455.tif 000010
【図９】
2015126455.tif 000011
【図１０】
2015126455.tif 000012